(57)【要約】【課題】使用者が光環境を直感的に分かりやすく且つ簡単な操作で設定することができる撮影システムを提供する。【解決手段】本発明に係る撮影システム（１）は、光源部、前記光源部が照射する照明光の光環境を調節する光環境調節部、撮像装置との間でデータを送受信する第１通信部、及び撮像装置から受信した光環境に関するデータに基づいて前記光源部から照射される照明光の光環境を調節する第１制御部を備える照明装置（１０）と、撮像部、前記照明装置との間でデータを送受信する第２通信部、画面上に光環境に関する視覚情報を表示すると共に、当該視覚情報に対する使用者の操作入力を取得する操作入力取得部、及び当該操作入力取得部で取得した操作入力に基づいて前記光源部が照射する照明光の光環境に関するデータを生成し、当該光環境に関するデータを前記第２通信部を介して前記照明装置に送信する第２制御部を備える撮像装置（２０）と、を備える。【選択図】図１
2012119727.tif 000002
【特許請求の範囲】
【請求項１】
照明光を照射する光源部、前記光源部が照射する照明光の光環境を調節する光環境調節部、撮像装置との間でデータを送受信する第１通信部、及び前記撮像装置から受信した光環境に関するデータに基づいて前記光環境調節部を制御して前記光源部から照射される照明光の光環境を調節する第１制御部を備える照明装置と、
画像を撮像する撮像部、前記照明装置との間でデータを送受信する第２通信部、画面上に光環境に関する視覚情報を表示すると共に、当該視覚情報に対する使用者の操作入力を取得する操作入力取得部、及び当該操作入力取得部で取得した操作入力に基づいて前記光源部が照射する照明光の光環境に関するデータを生成し、当該光環境に関するデータを前記第２通信部を介して前記照明装置に送信する第２制御部を備える撮像装置と、
を備える撮影システム。
【請求項２】
請求項１に記載の撮影システムにおいて、
前記第１制御部は、前記照明装置から識別情報の送信要求に関するデータを受信した場合には、自照明装置の識別情報に関するデータを前記第１通信部を介して前記撮像装置に送信し、
前記第２制御部は、識別情報の送信要求に関するデータを前記第２通信部を介して前記照明装置に送信した後、前記照明装置から受信した識別情報に関するデータに基づいて、データの送受信が可能な照明装置を検出すること、
を特徴とする撮影システム。
【請求項３】
請求項１又は２に記載の撮影システムにおいて、
前記第２制御部は、前記照明装置から受信した初期状態の光環境に関するデータに基づいて、前記操作入力取得部に、前記照明装置の初期状態の光環境を視覚情報として表示すること、
を特徴とする撮影システム。
【請求項４】
請求項１〜３のいずれか一項に記載の撮影システムにおいて、
前記第２制御部は、前記操作入力取得部において、前記照明装置の初期状態の光環境とは異なる位置に対する操作入力を取得した場合には、前記操作入力の位置に、目標状態の光環境を視覚情報として表示すること、
を特徴とする撮影システム。
【請求項５】
請求項４に記載の撮影システムにおいて、
前記操作入力取得部は、使用者の画面への接触位置及びこの接触位置の移動方向を操作入力として検出可能に構成され、
前記第２制御部は、使用者が前記初期状態の光環境から前記目標状態の光環境までの間、前記操作入力取得部の画面に接触した状態で移動する操作入力を取得した場合には、前記初期状態の光環境から前記目標状態の光環境までの間の操作入力の経路を視覚情報として表示すること、
を特徴とする撮影システム。
【請求項６】
請求項４又は５のいずれか一項に記載の撮影システムにおいて、
前記第２制御部は、使用者が前記初期状態の光環境から前記目標状態の光環境までの間、前記操作入力取得部の画面に接触した状態で移動する操作入力を取得した場合に、その操作入力の移動速度に応じて光環境の変化点を設定すると共に、当該変化点を前記初期状態の光環境と前記目標状態の光環境との間の軌跡上に視覚情報として表示すること、
を特徴とする撮影システム。
【請求項７】
請求項６に記載の撮影システムにおいて、
前記第２制御部は、前記撮像部により画像を撮像する毎に、前記操作入力取得部で取得した前記初期状態の光環境から前記目標状態の光環境までの間の各変化点における光環境に関するデータを前記第２通信部を介して前記照明装置に送信すること、
を特徴とする撮影システム。
【請求項８】
請求項６又は７に記載の撮影システムにおいて、
前記第２制御部は、前記撮像部により撮像された画像を、前記操作入力取得部において、前記初期状態の光環境から前記目標状態の光環境までの間の各変化点に対応する位置に表示すること、
を特徴とする撮影システム。
【請求項９】
請求項８に記載の撮影システムにおいて、
前記第２制御部は、前記撮像部により撮像された画像の中から、光環境が最適となる画像を保存候補画像として選択すること、
を特徴とする撮影システム。
【請求項１０】
請求項５〜９のいずれか一項に記載の撮影システムにおいて、
前記第２制御部は、前記操作入力取得部において、前記撮像部により撮像された画像の中から、特定の画像に接触する操作入力を取得した場合には、当該操作入力により指定された画像を保存候補画像として抽出すること、
を特徴とする撮影システム。
【請求項１１】
請求項１〜１０のいずれか一項に記載の撮影システムにおいて、
前記照明装置は、前記光環境に関するデータを記憶可能な第１記憶部を備え、
前記撮像装置は、前記光環境に関するデータを記憶可能な第２記憶部を備え、
前記第２制御部は、前記操作入力取得部において、前記光環境に関するデータを前記照明装置に記憶する操作入力を取得した場合には、前記光環境に関するデータを前記第１記憶部に記憶させ、前記操作入力取得部において、前記光環境に関するデータを前記撮像装置に記憶する操作入力を取得した場合には、前記光環境に関するデータを前記第２記憶部に記憶すること、
を特徴とする撮影システム。
【発明の詳細な説明】
【技術分野】
【０００１】
本発明は、撮影システムに関するものである。
【背景技術】
【０００２】
建物やオフィスビル内の照明設備として、複数の照明装置と中央制御装置とを備えた照明システムが提案されている。このような照明システムの中には、室内の写真撮影における光源として適用可能なものがある。例えば、無線通信により複数のＬＥＤ照明体と中央制御装置との間にネットワークを構築し、中央制御装置から一括してＬＥＤ照明体のオン／オフを切り替えたり、ＬＥＤ照明体の照度を調節したりすることができる照明システムが知られている（例えば、特許文献１参照）。
【先行技術文献】
【特許文献】
【０００３】
【特許文献１】特開２０１０−８０１３９号公報
【発明の概要】
【発明が解決しようとする課題】
【０００４】
上述した特許文献１に提案された照明システムでは、ＬＥＤ照明体のオン／オフや照度を調節することができる。しかしながら、特許文献１に提案された照明システムは、写真撮影に適した光の明るさや色（以下、適宜に「光環境」という）を、使用者が分かりやすく且つ簡単な操作で設定できるようにすることは考慮されていない。
【０００５】
本発明の課題は、使用者が光環境を直感的に分かりやすく且つ簡単な操作で設定することができる撮影システムを提供することにある。
【課題を解決するための手段】
【０００６】
本発明は、以下のような解決手段により前記課題を解決する。なお、理解を容易にするために、本発明の実施形態に対応する符号を付して説明するが、これに限定されるものではない。
請求項１に記載の発明は、照明光を照射する光源部（１１）、前記光源部が照射する照明光の光環境を調節する光環境調節部（１２）、撮像装置との間でデータを送受信する第１通信部（１３）、及び前記撮像装置から受信した光環境に関するデータに基づいて前記光環境調節部を制御して前記光源部から照射される照明光の光環境を調節する第１制御部（１５）を備える照明装置（１０）と、画像を撮像する撮像部（２２）、前記照明装置との間でデータを送受信する第２通信部（２４）、画面上に光環境に関する視覚情報を表示すると共に、当該視覚情報に対する使用者の操作入力を取得する操作入力取得部（２５）、及び当該操作入力取得部で取得した操作入力に基づいて前記光源部が照射する照明光の光環境に関するデータを生成し、当該光環境に関するデータを前記第２通信部を介して前記照明装置に送信する第２制御部（２６）を備える撮像装置（２０）と、を備える撮影システム（１）である。
請求項２に記載の発明は、請求項１に記載の撮影システム（１）において、前記第１制御部（１５）は、前記照明装置から識別情報の送信要求に関するデータを受信した場合には、自照明装置の識別情報に関するデータを前記第１通信部（１３）を介して前記撮像装置に送信し、前記第２制御部（２６）は、識別情報の送信要求に関するデータを前記第２通信部（２４）を介して前記照明装置に送信した後、前記照明装置から受信した識別情報に関するデータに基づいて、データの送受信が可能な照明装置を検出することを特徴とする。
請求項３に記載の発明は、請求項１又は２に記載の撮影システム（１）において、前記第２制御部（２６）は、前記照明装置（１０）から受信した初期状態の光環境に関するデータに基づいて、前記操作入力取得部（２５）に、前記照明装置の初期状態の光環境を視覚情報として表示することを特徴とする。
請求項４に記載の発明は、請求項１〜３のいずれか一項に記載の撮影システム（１）において、前記第２制御部（２６）は、前記操作入力取得部（２５）において、前記照明装置（１０）の初期状態の光環境とは異なる位置に対する操作入力を取得した場合には、前記操作入力の位置に、目標状態の光環境を視覚情報として表示することを特徴とする。
請求項５に記載の発明は、請求項４に記載の撮影システム（１）において、記操作入力取得部（２５）は、使用者の画面への接触位置及びこの接触位置の移動方向を操作入力として検出可能に構成され、前記第２制御部（２６）は、使用者が前記初期状態の光環境から前記目標状態の光環境までの間、前記操作入力取得部の画面に接触した状態で移動する操作入力を取得した場合には、前記初期状態の光環境から前記目標状態の光環境までの間の操作入力の経路を視覚情報として表示することを特徴とする。
請求項６に記載の発明は、請求項４又は５のいずれか一項に記載の撮影システム（１）において、前記第２制御部（２６）は、使用者が前記初期状態の光環境から前記目標状態の光環境までの間、前記操作入力取得部（２５）の画面に接触した状態で移動する操作入力を取得した場合に、その操作入力の移動速度に応じて光環境の変化点を設定すると共に、当該変化点を前記初期状態の光環境と前記目標状態の光環境との間の軌跡上に視覚情報として表示することを特徴とする。
請求項７に記載の発明は、請求項６に記載の撮影システム（１）において、前記第２制御部（２６）は、前記撮像部（２２）により画像を撮像する毎に、前記操作入力取得部（２５）で取得した前記初期状態の光環境から前記目標状態の光環境までの間の各変化点における光環境に関するデータを前記第２通信部（２４）を介して前記照明装置（１０）に送信することを特徴とする。
請求項８に記載の発明は、請求項６又は７に記載の撮影システム（１）において、前記第２制御部（２６）は、前記撮像部（２２）により撮像された画像を、前記操作入力取得部（２５）において、前記初期状態の光環境から前記目標状態の光環境までの間の各変化点に対応する位置に表示することを特徴とする。
請求項９に記載の発明は、請求項８に記載の撮影システム（１）において、前記第２制御部（２６）は、前記撮像部（２２）により撮像された画像の中から、光環境が最適となる画像を保存候補画像として選択することを特徴とする。
請求項１０に記載の発明は、請求項５〜９のいずれか一項に記載の撮影システム（１）において、前記第２制御部（２６）は、前記操作入力取得部（２５）において、前記撮像部（２２）により撮像された画像の中から、特定の画像に接触する操作入力を取得した場合には、当該操作入力により指定された画像を保存候補画像として抽出することを特徴とする。
請求項１１に記載の発明は、請求項１〜１０のいずれか一項に記載の撮影システム（１）において、前記照明装置（１０）は、前記光環境に関するデータを記憶可能な第１記憶部（１４）を備え、前記撮像装置（２０）は、前記光環境に関するデータを記憶可能な第２記憶部（２３）を備え、前記第２制御部（２６）は、前記操作入力取得部（２５）において、前記光環境に関するデータを前記照明装置に記憶する操作入力を取得した場合には、前記光環境に関するデータを前記第１記憶部に記憶させ、前記操作入力取得部において、前記光環境に関するデータを前記撮像装置に記憶する操作入力を取得した場合には、前記光環境に関するデータを前記第２記憶部に記憶することを特徴とする。
なお、符号を付して説明した構成は、適宜改良してもよく、また、少なくとも一部を他の構成物に代替してもよい。
【発明の効果】
【０００７】
本発明によれば、使用者が光環境を直感的に分かりやすく且つ簡単な操作で設定することができる撮影システムを提供することができる。
【図面の簡単な説明】
【０００８】
【図１】実施形態における撮影システム１の概略構成図である。
【図２】ＬＥＤ照明器具１０の構成図である。
【図３】カメラ２０の構成図である。
【図４】タッチパネル２５に表示された光環境の設定画面１００を示す説明図である。
【図５】光環境を変化させる経路（軌跡）の表示例を示す説明図である。
【図６】ＬＥＤ照明器具１０の光環境を変化させながら写真撮影する場合の全体的な処理手順を示すフローチャートである。
【図７】ＬＥＤ照明器具１０の光環境を変化させながら写真撮影する場合の全体的な処理手順を示すフローチャートである。
【図８】カメラ制御部２６がタッチパネル２５から光環境に関するデータを取得する場合の処理手順を示すフローチャートである。
【図９】カメラ制御部２６が撮像処理及び画像の保存を行なう場合の処理手順を示すフローチャートである。
【図１０】変化点Ａ１〜Ａ１０の光環境を順に設定する場合の動作を示すタイムチャートである。
【図１１】カメラ２０により撮影された画像の表示例を示す説明図である。
【図１２】撮影された画像の中からベストショット画像を選択した場合の表示例を示す説明図である。
【図１３】設定画面１００の近傍にサンプル画面２００を表示した設定画面１００を示す説明図である。
【発明を実施するための形態】
【０００９】
以下、図面を参照して、本発明に係る撮影システムの実施形態について説明する。図１は、本実施形態における撮影システム１の概略構成図である。図２は、ＬＥＤ照明器具１０の構成図である。図３は、カメラ２０の構成図である。
【００１０】
本実施形態の撮影システム１は、図１に示すように、照明装置としてのＬＥＤ照明器具１０ａ〜１０ｉ（以下、「ＬＥＤ照明器具１０」と総称する）と、撮像装置としてのカメラ２０と、を備える。ＬＥＤ照明器具１０は、室内の天井（不図示）に配置されている。カメラ２０は、室内において使用者により保持又は三脚等に支持されている。９個のＬＥＤ照明器具１０と、１個のカメラ２０とは、互いの通信部（後述）を介して相互にデータを送受信することができる。
【００１１】
ＬＥＤ照明器具１０は、図２に示すように、光源部１１と、光環境調節部１２と、第１通信部としての照明通信部１３と、第１記憶部としての記憶部１４と、第１制御部としてのＬＥＤ制御部１５と、を備える。
【００１２】
光源部１１は、光源としてのＬＥＤ（発光ダイオード）発光装置を保持する部分である。本実施形態の光源部１１は、ＲＧＢの三色を混合した照明光を照射する。
【００１３】
光環境調節部１２は、ＬＥＤ制御部１５の制御により、光源部１１の光環境（明るさ及び色）を調整する回路である。
【００１４】
照明通信部１３は、カメラ２０との間でデータを送受信する回路である。本実施形態の照明通信部１３は、無線通信によりカメラ２０との間でデータを送受信する。
【００１５】
記憶部１４は、光源部１１における初期状態の光環境に関するデータ、目標状態の光環境に関するデータ、識別情報に関するデータ等を記憶可能な記憶装置である。初期状態の光環境とは、光源部１１の標準的な光環境である。初期状態の光環境は、あらかじめ記憶部１４に記憶されている。目標状態の光環境とは、使用者により設定された光環境である。目標状態の光環境は、カメラ２０から受信した目標状態の光環境に関するデータに基づいて記憶部１４に記憶される。識別情報に関するデータとは、ＬＥＤ照明器具１０に割り当てられた固有のＩＤ番号である。識別情報に関するデータは、カメラ２０が、光環境を制御可能なＬＥＤ照明器具１０が存在するか否かを判定する際に用いられる。
【００１６】
ＬＥＤ制御部１５は、ＬＥＤ照明器具１０の動作を制御する回路である。ＬＥＤ制御部１５は、例えば、マイクロプロセッサにより構成される。ＬＥＤ制御部１５は、カメラ２０から識別情報の送信要求を受信した場合には、記憶部１４に記憶している識別情報に関するデータを読み出し、照明通信部１３を介してカメラ２０に送信する。また、ＬＥＤ制御部１５は、カメラ２０から光環境に関するデータを受信した場合には、その光環境に関するデータを記憶部１４に記憶する。そして、ＬＥＤ制御部１５は、受信した光環境に関するデータに基づいて光環境調節部１２を制御し、光源部１１から照射される照明光の光環境を調節する。ＬＥＤ制御部１５の機能については後述する。
【００１７】
また、ＬＥＤ照明器具１０は、電源部（不図示）を備える。電源部は、光源部１１、照明通信部１３及びＬＥＤ制御部１５に電力を供給する回路である。
【００１８】
一方、カメラ２０は、図３に示すように、光学系／駆動部２１と、撮像部２２と、第２記憶部としての記憶部２３と、第２通信部としてのカメラ通信部２４と、操作入力取得部としてのタッチパネル２５と、第２制御部としてのカメラ制御部２６と、を備える。
【００１９】
光学系／駆動部２１は、レンズ、レンズ駆動部、絞り機構（いずれも不図示）を備える。レンズは、入射した被写体光を屈折させて撮像部２２に被写体光の像を形成する光学系部材である。レンズ駆動部は、焦点調節のためにレンズを光軸方向に移動させる装置である。絞り機構は、被写体光の光量を調節する装置である。光学系／駆動部２１において、レンズに入射した被写体光は、絞り機構を経て撮像部２２に導かれる。
【００２０】
撮像部２２は、撮像素子及び画像処理部（いずれも不図示）を備える。撮像素子は、上述のレンズ等を通過した被写体光の像を電気信号に変換して、出力する素子である。撮像素子は、素子（電子）シャッタとしても機能する。撮像素子から出力された電気信号は、画像処理部においてノイズ除去、Ａ／Ｄ変換、色補正、符号化等の処理が施され、画像データとして出力される。
【００２１】
記憶部２３は、揮発性及び不揮発性のメモリからなる記憶装置である。記憶部２３には、カメラ２０の動作を制御するプログラムのほか、このプログラムの実行に必要な初期値や設定値（例えば、後述する変化点の基準値、経路に関する情報等）が記憶される。また、記憶部２３には、タッチパネル２５を介して取得した使用者の操作入力に関するデータが記憶される。また、記憶部２３には、画像処理部から出力された画像データのほか、画像処理部やカメラ制御部２６等が演算処理を行う際に用いるデータが一時的に記憶される。
【００２２】
カメラ通信部２４は、ＬＥＤ照明器具１０との間でデータを送受信する回路である。本実施形態のカメラ通信部２４は、無線通信によりＬＥＤ照明器具１０との間でデータを送受信する。
【００２３】
タッチパネル２５は、液晶パネルとポインティングデバイス（いずれも不図示）とを組み合わせた表示／位置入力装置である。タッチパネル２５には、被写体の静止画像や動画像、撮影済みの画像のほか、メニュー画面、撮影条件等が表示される。また、タッチパネル２５には、各種の視覚情報を備えた設定画面（後述）が表示される。
【００２４】
また、タッチパネル２５は、使用者が液晶パネルの設定画面にポインティングデバイスを介して指を触れたときの接触位置及びこの接触位置の移動方向を検出する機能を有する。使用者は、タッチパネル２５に表示されたアイコンを指（又は専用のタッチペン）で触れることにより、そのアイコンの示すモードを設定したり、動作を実行させたりすることができる。また、使用者は、後述するように、光環境の設定画面を指で触れたり、触れながら移動させることにより、ＬＥＤ照明器具１０の光環境を様々に制御することができる。タッチパネル２５の機能については後述する。
【００２５】
カメラ制御部２６は、カメラ２０の動作を統括的に制御する回路である。カメラ制御部２６は、例えば、マイクロプロセッサにより構成される。カメラ制御部２６は、ＬＥＤ照明器具１０を光源とする写真撮影において、タッチパネル２５で取得された操作入力に基づいて、ＬＥＤ照明器具１０の光源部１１が照射する照明光の光環境に関するデータを生成し、当該光環境に関するデータをカメラ通信部２４を介してＬＥＤ照明器具１０に送信する。カメラ制御部２６の機能については後述する。
【００２６】
また、カメラ２０は、発光部、電源部及びカードスロット（いずれも不図示）を備える。発光部は、低輝度時に照明光を照射する内蔵式の閃光発光装置である。電源部は、各部に電力を供給する電源装置である。カードスロットは、装着されたメモリカード（記録媒体）に画像データを記録する装置である。
【００２７】
次に、タッチパネル２５による操作入力について説明する。図４は、タッチパネル２５に表示された光環境の設定画面１００を示す説明図である。図５は、光環境を変化させる経路（軌跡）の表示例を示す説明図である。
【００２８】
図４に示すように、光環境の設定画面１００には、縦軸（第１の座標軸）１０１と、横軸（第２の座標軸）１０２と、が表示される。縦軸１０１は、照明光の明るさの変化量を示すスケールである。また、横軸１０２は、照明光の色の変化量を示すスケールである。使用者は、縦軸１０１と横軸１０２との間に形成された平面領域内において、光環境を調節することができる。
【００２９】
カメラ制御部２６は、使用者により照明光の光環境を調節するモードが設定されると、ＬＥＤ照明器具１０から受信した初期状態の光環境に関するデータに基づいて、初期状態アイコン１０３を設定画面１００に表示する。また、カメラ制御部２６は、初期状態の光環境に関するデータに基づいて、設定画面１００における初期状態アイコン１０３の位置を算出し、その位置に初期状態アイコン１０３を表示する。使用者は、タッチパネル２５に表示された、照明光の光環境を調整するモードのアイコン（不図示）を指で触れることにより、タッチパネル２５に設定画面１００と初期状態アイコン１０３を表示させることができる。
【００３０】
一方、使用者は、初期状態アイコン１０３の表示された設定画面１００に対して、光環境を変化させたい位置に指を触れることにより、光環境の目標状態を指定することができる。すなわち、カメラ制御部２６は、タッチパネル２５の設定画面１００において、使用者の指が触れた位置に目標状態の光環境に対応する目標状態アイコン１０４を表示する。
【００３１】
また、使用者は、光環境の初期状態に対して目標状態を指定した後、初期状態アイコン１０３から目標状態アイコン１０４までの間を指で触れながら移動することにより、光環境を初期状態から目標状態まで変化させる経路を指定することができる。カメラ制御部２６は、初期状態アイコン１０３から目標状態アイコン１０４までの間を使用者が指を触れながら移動させた操作入力を取得すると、その移動方向と位置とに基づいて、光環境を初期状態から目標状態まで変化させる経路を視覚情報としてタッチパネル２５の設定画面１００に表示する（以下、適宜に「タッチパネル２５に表示」という）。
【００３２】
光環境を変化させる経路は、図４に示すように、直線的に変化させる経路１０５や、曲線的に変化させる経路１０６又は１０７がある。なお、図４は、光環境を変化させる経路の一例を示す。光環境を変化させる経路は、使用者の好みに応じて指定することができる。例えば、「Ｌ」字形や「Ｊ」字形の経路であってもよいし、曲線と直線とを組み合わせた経路であってもよい。
【００３３】
また、使用者が光環境を初期状態から目標状態まで変化させる経路を指定すると、図５に示すように、設定画面１００には、光環境の経路と共に変化点Ａ１〜Ａ１０が表示される。変化点は、経路中のそれぞれの位置に設定された光環境を示している。また、使用者は、初期状態アイコン１０３から目標状態アイコン１０４までの間を指で触れながら移動する際に、その移動速度を変えることにより、変化点の数を変えることができる。
【００３４】
カメラ制御部２６は、使用者の指が移動する速度が、あらかじめ設定された速度範囲（以下、「標準の速度範囲」という）内であれば、初期状態から目標状態までの間に変化点を、図５に示すように１０点設定する。一方、カメラ制御部２６は、使用者の指が移動する速度が標準の速度範囲以上である場合には、その速度に応じて変化点の数を多くする。また、カメラ制御部２６は、使用者の指が移動する速度が標準の速度範囲未満である場合には、その速度に応じて変化点の数を少なくする。
【００３５】
設定する変化点の数には、上限及び下限が設定されている。カメラ制御部２６は、標準の速度範囲における変化点の数（１０点）を基準値として、使用者の指が移動する速度に応じて、上限値は１５点、下限値は５点の範囲で変化点を設定する。本実施形態において、変化点の数（基準値、上限値、下限値）は、カメラ２０にあらかじめ設定されている。ただし、使用者は、設定変更モードを選択することにより、変化点の数を適宜に変更することができる。
【００３６】
また、使用者は、指定した目標状態の光環境、光環境を初期状態から目標状態まで変化させる経路、及び変化点を確定させる場合には、タッチパネル２５に表示された確定のアイコン（不図示）を指で触れることにより、これらパラメータの入力を確定することができる。また、使用者は、入力した内容を変更したい場合には、タッチパネル２５に表示された再設定のアイコン（不図示）を指で触れることにより、再度、パラメータの入力を行うことができる。この場合、タッチパネル２５には、初期状態の光環境に対応する初期状態アイコン１０３が表示される。
【００３７】
カメラ制御部２６は、使用者によるパラメータの入力を確定する操作入力を取得すると、タッチパネル２５から取得した光環境に関するデータ（光環境の目標状態、光環境を初期状態から目標状態まで変化させる経路、変化点に関する情報）を、記憶部２３に記憶する。タッチパネル２５の他の機能については後述する。
【００３８】
次に、本実施形態の撮影システム１において、ＬＥＤ照明器具１０の光環境を変化させながら写真撮影する場合の全体的な処理手順を、図６及び図７に示すフローチャートを参照して説明する。図６及び図７において、右側はＬＥＤ制御部１５が実行する処理のフローチャート（以下、「照明側フローチャート」という）、左側はカメラ制御部２６が実行する処理のフローチャート（以下、「カメラ側フローチャート」という）を示す。図６及び図７に示すフローチャートの処理は、カメラ２０の電源がオンし、使用者により外部照明による室内撮影モードが設定されることにより開始される。
【００３９】
まず、図６に示すカメラ側フローチャートのステップＳ１０１において、カメラ制御部２６は、制御可能なＬＥＤ照明器具１０が存在するか否かを確認するため、すべてのＬＥＤ照明器具１０対し、識別情報の送信要求に関するデータを送信する。
【００４０】
一方、照明側フローチャートのステップＳ２０１において、ＬＥＤ制御部１５は、カメラ２０から送信された、識別情報の送信要求に関するデータを受信する。続いて、ステップＳ２０２において、ＬＥＤ制御部１５は、記憶部２３から識別情報に関するデータ（ＩＤ番号）を読み出す。そして、ステップＳ２０３において、ＬＥＤ制御部１５は、識別情報に関するデータをカメラ２０へ送信する。なお、本実施形態の撮影システム１に対応していないＬＥＤ照明器具には、識別情報に関するデータが記憶されていない。このため、カメラ２０への識別情報に関するデータの送信は行なわれない。
【００４１】
カメラ側フローチャートのステップＳ１０２において、カメラ制御部２６は、ＬＥＤ照明器具１０から送信された、識別情報に関するデータを受信する。
【００４２】
ステップＳ１０３において、カメラ制御部２６は、少なくとも一つの識別情報に関するデータを受信したか否かを判定する。ステップＳ１０３において、カメラ制御部２６は、少なくとも一つの識別情報に関するデータを受信したと判定した場合（ＹＥＳ）には、ステップＳ１０５へ進む。また、ステップＳ１０３において、カメラ制御部２６は、識別情報に関するデータを受信していない判定した場合（ＮＯ）には、ステップＳ１０４へ進む。
【００４３】
ステップＳ１０４において、カメラ制御部２６は、ＬＥＤ照明器具１０による照明を行わない通常の撮影動作の設定を行い、本フローチャートの処理を終了する。このように、制御可能なＬＥＤ照明器具１０が存在しない場合、使用者は、例えば撮像感度を上げて自然光で写真撮影を行なうか、他の光源を用いて写真撮影を行なう。また、制御可能なＬＥＤ照明器具１０が存在しない場合において、カメラ制御部２６は、タッチパネル２５に「制御可能なＬＥＤ照明器具がありません」等のメッセージを表示してもよい。
【００４４】
一方、ステップＳ１０５において、カメラ制御部２６は、識別情報に関するデータを送信してきたＬＥＤ照明器具１０との間で通信経路を確立する。
【００４５】
ステップＳ１０６において、カメラ制御部２６は、制御可能なＬＥＤ照明器具２０との間で通信を行い、初期状態の光環境に関するデータを取得する。
【００４６】
ステップＳ１０７において、カメラ制御部２６は、制御可能なＬＥＤ照明器具１０の個数、及び制御可能なＬＥＤ照明器具１０における初期状態の光環境に関するデータを記憶部２３に記憶する。
【００４７】
ステップＳ１０８において、カメラ制御部２６は、ホワイトバランス（ＷＢ）及び撮像感度を設定する。
【００４８】
次に、図７に示すカメラ側フローチャートのステップＳ１０９において、カメラ制御部２６は、タッチパネル２５から光環境に関するデータを取得する。ステップＳ１０９の処理については後述する。
【００４９】
ステップＳ１１０において、カメラ制御部２６は、ＬＥＤ照明器具１０の光環境を調節しながら撮像処理を実行し、各画像を保存する。このとき、カメラ制御部２６は、カメラの位置情報（撮影距離）や光環境に関するデータをＥｘｉｆ情報として画像に記録する。これによれば、同じＬＥＤ照明器具１０の下で、被写体に対して同じ撮影距離で撮影する場合に、前回取得した光環境に関するデータを活用することができる。
【００５０】
また、ステップＳ１１０において、カメラ制御部２６は、１画像の撮像処理が終了する毎に、次の変化点における光環境に関するデータをＬＥＤ照明器具１０に送信する。すなわち、カメラ制御部２６は、すべての変化点において光環境を調節した後、調節した光環境下において撮像処理を実行する。
【００５１】
図７に示す照明側フローチャートのステップＳ２０４において、ＬＥＤ制御部１５は、カメラ２０から送信された、（次の変化点の）光環境に関するデータを受信し、記憶部２３に記憶する。そして、ＬＥＤ制御部１５は、光環境調節部１２を介して光源部１１の光環境を調節する。ステップＳ２０４における光環境の調節については後述する。
【００５２】
一方、図７に示すカメラ側フローチャートのステップＳ１１１において、カメラ制御部２６は、タッチパネル２５から取得した光環境に関するデータをカメラ２０又はＬＥＤ照明器具１０のどちらに保存するかを判定する。
【００５３】
使用者は、タッチパネル２５を介して、光環境に関するデータの保存先をカメラ２０又はＬＥＤ照明器具１０のどちらにするかを指定することができる。カメラ制御部２６は、使用者により指定された保存先の識別フラグを参照することにより、光環境に関するデータの保存先を判定することができる。
【００５４】
なお、カメラ２０を、光環境に関するデータのデフォルトの保存先としてもよい。この場合は、使用者により保存先を変更する操作がなされたときのみＬＥＤ照明器具１０を光環境に関するデータの保存先とする。また、光環境に関するデータを、カメラ２０及びＬＥＤ照明器具１０のいずれにも保存しないようにしてもよい。
【００５５】
ステップＳ１１１において、カメラ制御部２６は、光環境に関するデータの保存先がカメラ２０であると判定した場合には、ステップＳ１１２へ進む。ステップＳ１１２において、カメラ制御部２６は、光環境に関するデータを記憶部２３へ保存する。
【００５６】
一方、ステップＳ１１１において、光環境に関するデータの保存先がＬＥＤ照明器具１０であると判定したカメラ制御部２６は、ステップＳ１１３へ進み、光環境に関するデータをＬＥＤ照明器具１０に送信する。
【００５７】
図７に示す照明側フローチャートのステップＳ２０５において、ＬＥＤ制御部１５は、光環境に関するデータを受信する。続いて、ステップＳ２０６において、ＬＥＤ制御部１５は、光環境に関するデータを記憶部１４に保存する。
【００５８】
また、図７に示すカメラ側フローチャートのステップＳ１１４において、カメラ制御部２６は、光環境の初期状態への復帰要求に関するデータをＬＥＤ照明器具１０に送信して、本フローチャートの処理を終了する。
【００５９】
一方、図７に示す照明側フローチャートのステップＳ２０７において、ＬＥＤ制御部１５は、光環境の初期状態への復帰要求に関するデータを受信する。続いて、ステップＳ２０８において、ＬＥＤ制御部１５は、光環境調節部１２を介して光源部１１の光環境を初期状に戻し、本フローチャートの処理を終了する。
【００６０】
次に、図７に示すカメラ側フローチャートのステップＳ１０９の処理について説明する。図８は、カメラ制御部２６がタッチパネル２５から光環境に関するデータを取得する場合の処理手順を示すフローチャートである。
【００６１】
ステップＳ３０１において、カメラ制御部２６は、ＬＥＤ照明器具１０の初期状態の光環境に対応する初期状態アイコン１０３をタッチパネル２５に表示する（図４参照）。
【００６２】
ステップＳ３０２において、カメラ制御部２６は、使用者がタッチパネル２５に指で触れた位置を、目標状態の光環境を示す操作入力として取得する。
【００６３】
ステップＳ３０３において、カメラ制御部２６は、使用者がタッチパネル２５に指を触れた位置に、目標状態の光環境に対応する目標状態アイコン１０４を表示する。
【００６４】
ステップＳ３０４において、カメラ制御部２６は、使用者がタッチパネル２５に指を触れながら移動させた範囲を、光環境を初期状態から目標状態まで変化させる経路を示す操作入力として取得する。
【００６５】
ステップＳ３０５において、カメラ制御部２６は、光環境の経路と変化点とをタッチパネル２５に表示する。
【００６６】
ステップＳ３０６において、カメラ制御部２６は、目標状態の光環境、光環境を初期状態から目標状態まで変化させる経路、及び変化点の入力が確定したか否かを判定する。使用者は、タッチパネル２５に表示された確定のアイコンを指で触れることにより、入力を確定することができる。また、使用者は、タッチパネル２５に表示された再設定のアイコンを指で触れることにより、再度、入力の操作を行うことができる。
【００６７】
ステップＳ３０６において、カメラ制御部２６は、入力が確定したと判定した場合（ＹＥＳ）には、ステップＳ３０７へ進む。また、ステップＳ３０６において、カメラ制御部２６は、入力が確定していないと判定した場合（ＮＯ）には、ステップＳ３０１へ戻る。
【００６８】
ステップＳ３０７において、カメラ制御部２６は、目標状態の光環境、光環境を初期状態から目標状態まで変化させる経路、及び変化点（Ａ１〜Ａ１０）の光環境に関するデータを記憶部２３に記憶して、本フローチャートの処理を終了する（メインルーチンへ戻る）。
【００６９】
次に、図７に示すカメラ側フローチャートのステップＳ１１０の処理について説明する。図９は、カメラ制御部２６が撮像処理及び画像の保存を行なう場合の処理手順を示すフローチャートである。図１０は、変化点Ａ１〜Ａ１０の光環境を順に設定する場合の動作を示すタイムチャートである。
【００７０】
図９に示すフローチャートのステップＳ４０１において、カメラ制御部２６は、使用者による撮影指示の操作入力（例えば、レリーズボタンの押し下げ）を取得する。
【００７１】
ステップＳ４０２において、カメラ制御部２６は、撮像処理を実行する。撮像処理において、カメラ制御部２６は、光学系／駆動部２１を制御して、被写体にピントを合わせるＡＦ制御や、適正な露出条件を設定するＡＥ制御を実行する。また、カメラ制御部２６は、撮像部２２を制御して、被写体光像の撮像（露光、読み出し）を実行する。なお、１枚目の撮像処理において、ＬＥＤ照明器具１０の光環境は初期状態（Ａ０）となる。
【００７２】
ステップＳ４０３において、カメラ制御部２６は、すべての変化点で撮像処理を実行したか否かを判定する。ステップＳ４０３において、カメラ制御部２６は、すべての変化点で撮像処理を実行したと判定した場合（ＹＥＳ）には、ステップＳ４０５へ進む。また、ステップＳ４０３において、カメラ制御部２６は、すべての変化点で撮像処理を実行していない判定した場合（ＮＯ）には、ステップＳ４０４へ進む。
【００７３】
ステップＳ４０４において、カメラ制御部２６は、次の変化点の光環境に関するデータをＬＥＤ照明器具１０に送信する。カメラ制御部２６は、ステップＳ４０４の処理を実行して、ステップＳ４０１へ戻る。この後、カメラ制御部２６は、ステップＳ４０３の判定で「ＹＥＳ」となるまでステップＳ４０１〜Ｓ４０４の処理を繰り返し実行する。
【００７４】
なお、カメラ制御部２６は、光環境に関するデータをＬＥＤ照明器具１０に送信した際に、ＬＥＤ照明器具１０の光環境が正しく調節されたか否かを判定してもよい。カメラ制御部２６は、ＬＥＤ照明器具１０の光環境が正しく調節されていなければ、本来の光環境に対する補正量を算出し、この光環境の補正量に関するデータをＬＥＤ照明器具１０に送信する。ＬＥＤ制御部１５は、受信した光環境の補正量に基づいて光環境調節部１２を制御して、光源部１１の光環境を再調節する。
【００７５】
上述したステップＳ４０１〜Ｓ４０４において、カメラ制御部２６及びＬＥＤ制御部１５は、図１０のように動作する。すなわち、初期状態（Ａ０）の光環境で撮像処理を実行すると、カメラ制御部２６は、次の変化点Ａ１の光環境に関するデータ（図中、Ａ１）をＬＥＤ照明器具１０に送信する。
【００７６】
ＬＥＤ照明器具１０は、変化点Ａ１の光環境に関するデータを受信し、記憶部２３に記憶する。そして、ＬＥＤ制御部１５は、光環境調節部１２を介して光源部１１の光環境に調節し、変化点Ａ１の光環境を設定する。変化点Ａ１の光環境を設定した後、ＬＥＤ制御部１５は、カメラ２０に応答確認信号（図中、ＡＣＫ１）を送信する。
【００７７】
カメラ制御部２６は、応答確認信号を受信すると、変化点Ａ１の光環境下において、撮像処理を実行する。以後、同様にして、変化点Ａ２〜Ａ１０まで上記の動作を繰り返し実行する。
【００７８】
再び図９のフローチャートに戻って説明する。ステップＳ４０３において、すべての変化点で撮像処理を実行したと判定したカメラ制御部２６は、ステップＳ４０５へ進み、撮影したすべての画像をタッチパネル２５に表示する。
【００７９】
ここで、撮影された画像の表示例について説明する。図１１は、カメラ２０により撮影された画像の表示例を示す説明図である。図１２は、撮影された画像の中からベストショット画像を選択した場合の表示例を示す説明図である。
【００８０】
カメラ制御部２６は、ステップＳ４０５において、図１１に示すように、変化点Ａ１〜Ａ１０に対応して撮影したすべての画像をタッチパネル２５に表示する。このとき、カメラ制御部２６は、撮影したすべての画像を、光環境を変化させた経路（図５参照）に沿って表示する。
なお、図１１（及び図１２）では、各変化点での画像を同じ明暗で描いているが、実際には、各変化点の光環境下で撮影されているため、それぞれ明るさ、色の異なる画像となる。また、図１１（及び図１２）において、初期状態（Ａ０）の光環境で撮影した画像を表示してもよい。
【００８１】
再び図９のフローチャートに戻って説明する。ステップＳ４０６において、カメラ制御部２６は、画像選択モードがカメラモード又はユーザモードのどちらに設定されているかを判定する。画像選択モードとは、撮影された画像の中からベストショットの画像（以下、適宜に「ベストショット画像」という）を選択するモードである。カメラモードが設定されている場合には、カメラ制御部２６によりベストショット画像が選択される。ユーザモードが設定されている場合には、使用者によりベストショット画像が選択される。使用者は、あらかじめタッチパネル２５に表示された画像選択モードの設定アイコン（不図示）を指で触れることにより、カメラモード又はユーザモードのいずれかのモードを設定することができる。
【００８２】
ステップＳ４０６において、カメラ制御部２６は、画像選択モードがカメラモードであると判定した場合は、ステップＳ４０７へ進む。また、ステップＳ４０６において、カメラ制御部２６は、画像選択モードがユーザモードであると判定した場合は、ステップＳ４０８へ進む。
【００８３】
ステップＳ４０７において、カメラ制御部２６は、撮影された画像の中からベストショット画像を選択する。すなわち、カメラ制御部２６は、画像の明るさ、色が最適となる画像を選択する。本実施形態において、カメラ２０の記憶部２３には、画像の明るさ、色の標準的な値が基準値として記憶されている。カメラ制御部２６は、画像の明るさ、色が最も基準値に近い画像をベストショット画像として選択する。なお、ベストショット画像の選択手法はこの例に限らず、他の手法により選択することもできる。例えば、過去に選択した画像の明るさ、色の平均値を算出し、この平均値に最も近い画像をベストショット画像としてもよい。また、算出した平均値に基づいて基準値を更新するようにしてもよい。
【００８４】
カメラ制御部２６は、撮影された画像の中からベストショット画像を選択すると、図１２に示すように、選択した画像を他の画像とは異なる背景模様で表示する。図１２では、Ａ６の画像がベストショット画像として選択された例を示している。
【００８５】
一方、ステップＳ４０８において、カメラ制御部２６は、ベストショット画像に対する使用者の操作入力を取得する。使用者は、タッチパネル２５に表示された画像の中から、所望の画像を指で触れることにより、ベストショット画像を選択することができる。カメラ制御部２６は、使用者が指を触れた画像を、図１２のように他の画像とは異なる背景模様で表示する。
【００８６】
ステップＳ４０９において、カメラ制御部２６は、ベストショット画像を保存するか否かを判定する。使用者は、タッチパネル２５に表示された選択終了のアイコン（不図示）を指で触れることにより、ベストショット画像の保存を開始することができる。また、使用者は、ベストショット画像がカメラ２０により選択された後又は自らがベストショット画像を選択した後、タッチパネル２５に表示された選択継続のアイコン（不図示）を指で触れることにより、ベストショット画像を保存しない、すなわちベストショット画像の選択を継続することができる。
【００８７】
ステップＳ４０９において、カメラ制御部２６は、ベストショット画像を保存しないと判定した場合（ＮＯ）には、ステップＳ４１０へ進む。また、カメラ制御部２６は、ベストショット画像を保存すると判定した場合（ＹＥＳ）には、ステップＳ４１１へ進む。
【００８８】
ステップＳ４１０において、カメラ制御部２６は、ベストショット画像が削除の候補から除外されるように、ベストショット画像に保存候補画像であることを示す保存候補のフラグを付加する。この後、カメラ制御部２６は、ステップＳ４０６の処理へ戻る。このようにして、カメラ２０又は使用者が選択したベストショット画像が順次選択される。
【００８９】
ステップＳ４１１において、カメラ制御部２６は、記憶部２３に記憶されている画像のうち、保存候補のフラグが付加された画像を抽出し、その画像データをカードスロットに装着されたメモリカード（不図示）に記録する。また、カメラ制御部２６は、保存候補のフラグが付加されていない画像を記憶部２３から削除して、本フローチャートの処理を終了する。
【００９０】
上述した実施形態によれば、以下のような効果を奏する。
（１）本実施形態の撮影システム１では、ＬＥＤ照明器具１０の光環境に関する情報がタッチパネル２５に視覚情報として表示される。また、使用者は、タッチパネル２５に表示された視覚情報に指で触れることにより、光環境の変更に関する操作入力を行なうことができる。そして、タッチパネル２５への操作入力に基づいてカメラ２０で生成された光環境に関するデータは、ＬＥＤ照明器具１０に送信され、使用者の操作入力に応じた光環境に調節される。このように、使用者は、タッチパネル２５に表示された視覚情報を見ながら、タッチパネル２５を指で触れることにより、光環境の変化に関する操作入力を行なうことができる。従って、本実施形態の撮影システム１によれば、カメラ２０側において、使用者が光環境を直感的に分かりやすく且つ簡単な操作で設定することができる。
【００９１】
また、先に特許文献１として説明した照明システムでは、蛍光型ＬＥＤ照明体の内部に明るさを検知する光センサが設けられている。このため、蛍光型ＬＥＤ照明体の数が多くなるほど、コストが高くなる。これに対して、本実施形態の撮影システム１では、カメラ２０の撮像部２２により、すべてのＬＥＤ照明器具１０の明るさを検出することができる。このため、本実施形態の撮影システム１では、ＬＥＤ照明器具１０の数が多くなっても、コストの増加を抑えることができる。
【００９２】
また、特許文献１の照明システムでは、各蛍光型ＬＥＤ照明体の光センサで検出した光環境データを中央制御装置に送信するように構成されている。このため、特許文献１の照明システムを室内の写真撮影に適用した場合には、蛍光型ＬＥＤ照明体と中央制御装置との間でデータの送受信をするのに加えて、中央制御装置とカメラとの間でもデータの送受信を行なう必要がある。これに対して、本実施形態の撮影システム１では、ＬＥＤ照明器具１０とカメラ２０との間で直接にデータの送受信を行なうことができる。このため、本実施形態の撮影システム１では、複数の機器間でデータを送受信する煩雑さを解消することができる。
【００９３】
（２）本実施形態の撮影システム１において、ＬＥＤ制御部１５は、カメラ制御部２６から識別情報の送信要求を受信した場合には、自身の保持する識別情報に関するデータをカメラ制御部２６に送信する。このため、カメラ制御部２６は、制御可能なＬＥＤ照明器具１０を容易に検出することができる。
【００９４】
（３）本実施形態の撮影システム１において、カメラ制御部２６は、ＬＥＤ照明器具１０から受信した初期状態の光環境に関するデータに基づいて、視覚情報としての初期状態アイコン１０３をタッチパネル２５に表示する。このため、使用者は、光環境を変更する前において、現状の光環境を視覚的に確認することができる。
【００９５】
（４）本実施形態の撮影システム１において、カメラ制御部２６は、使用者がタッチパネル２５に表示された初期状態アイコン１０３とは異なる位置に指を触れたときには、その位置に視覚情報としての目標状態アイコン１０４を表示する。このため、使用者は、初期状態の光環境に対して、目標状態となる光環境をどの位置にすればよいかを直感的に判断することができる。また、使用者は、極めて簡単な操作で目標状態を設定することができる。
【００９６】
（５）本実施形態の撮影システム１において、カメラ制御部２６は、使用者がタッチパネル２５に表示された初期状態アイコン１０３から目標状態アイコン１０４までの間を指で触れながら移動させると、光環境を初期状態から目標状態まで変化させる経路を視覚情報として表示する。このため、使用者は、光環境をどのように変化させるかを簡単な操作で設定することができる。
【００９７】
（６）本実施形態の撮影システム１において、カメラ制御部２６は、使用者がタッチパネル２５に表示された初期状態アイコン１０３から目標状態アイコン１０４までの間を指で触れながら移動したときに、その移動速度に応じて光環境の変化点を設定する。また、カメラ制御部２６は、設定した変化点を、光環境を初期状態から目標状態まで変化させる経路上に視覚情報として表示する。このため、使用者は、タッチパネル２５に指を触れながら移動させる際の速度を調節することにより、所望する数の変化点を簡単に設定することができる。
【００９８】
（７）本実施形態の撮影システム１において、カメラ制御部２６は、撮像部２２により画像を撮像する毎に、タッチパネル２５で取得した初期状態の光環境から目標状態の光環境までの間の変化点における光環境に関するデータをＬＥＤ照明器具１０に送信する。また、ＬＥＤ照明器具１０は、受信した光環境に関するデータに基づいて光環境を調節する。これによれば、使用者は、画像を撮像する毎に、変化点における光環境に関するデータをＬＥＤ照明器具１０に送信する必要がないため、複数の画像を効率良く撮影することができる。
【００９９】
（８）本実施形態の撮影システム１において、カメラ制御部２６は、撮像部２２により撮像した画像を、初期状態の光環境から目標状態の光環境までの間の各変化点に対応する位置に表示する。このため、使用者は、それぞれの変化点で撮影された画像の光環境を連続的に比較することができる。
【０１００】
（９）本実施形態の撮影システム１において、カメラ制御部２６は、撮像部２２により撮像された画像の中から、光環境が最適となる画像を保存候補画像として選択する。このため、使用者は、画像の明るさや色が最適となるベストショット画像を容易に見つけることができる。
【０１０１】
（１０）本実施形態の撮影システム１において、カメラ制御部２６は、タッチパネル２５において、撮像部２２により撮像された画像の中から、特定の画像に接触する操作入力を取得した場合には、この操作入力により指定された画像を保存候補画像として抽出する。このため、使用者は、所望の画像をベストショット画像とすることができる。
【０１０２】
（１１）本実施形態の撮影システム１において、カメラ制御部２６は、タッチパネル２５において、光環境に関するデータをＬＥＤ照明器具１０に保存する操作入力を取得した場合には、光環境に関するデータをＬＥＤ照明器具１０に送信し、記憶部１４に記憶させる。また、カメラ制御部２６は、タッチパネル２５において、光環境に関するデータをカメラ２０に保存する操作入力を取得した場合には、光環境に関するデータをカメラ２０の記憶部２３に記憶する。これによれば、光環境に関するデータをＬＥＤ照明器具１０の記憶部１４に記憶させた場合には、カメラ側で光環境に関するデータを生成してＬＥＤ照明器具１０に送信する手間を省くことができる。更に、前回と異なるカメラを用いて撮影する場合でも、前回と同じ条件下で撮影を行なうことができる。また、光環境に関するデータをカメラ２０の記憶部２３に記憶させた場合には、前回と異なるＬＥＤ照明器具１０であっても、光環境に関するデータをＬＥＤ照明器具１０に送信することにより、前回と同じ条件下で撮影を行なうことができる。
【０１０３】
（変形形態）
以上説明した実施形態に限定されることなく、本発明は以下に示すような種々の変形や変更が可能であり、それらも本発明の範囲内である。
【０１０４】
本実施形態では、図４に示すように、タッチパネル２５の全面を設定画面１００として表示している。これに限らず、図１３に示すように、設定画面１００の近傍にサンプル画面２００を表示してもよい。サンプル画面２００は、初期状態の光環境や目標状態の光環境を表示する画面である。カメラ制御部２６は、設定画面１００に初期状態アイコン１０３を表示した際に、初期状態の光環境に関するデータをＬＥＤ照明器具１０に送信する。これにより、ＬＥＤ照明器具１０の光環境が初期状態の光環境となるように調節される。このとき、カメラ制御部２６は、撮像部２２により撮像したライブビュー画像（又は静止画撮影した画像）をサンプル画面２００に表示する。これにより、使用者は、初期状態の光環境における画像を確認することができる。
【０１０５】
また、カメラ制御部２６は、使用者がタッチパネル２５に指で触れることにより指定した、目標状態の光環境を示す操作入力を取得した場合には、目標状態の光環境に関するデータをＬＥＤ照明器具１０に送信する。これにより、ＬＥＤ照明器具１０の光環境が目標状態の光環境となるように調節される。このとき、カメラ制御部２６は、撮像部２２により撮像したライブビュー画像（又は静止画撮影した画像）をサンプル画面２００に表示する。これにより、使用者は、目標状態の光環境における画像を確認することができる。
【０１０６】
以上のように、タッチパネル２５において、設定画面１００の近傍にサンプル画面２００を表示することにより、使用者は、初期状態の光環境と目標状態の光環境とでそれぞれ撮像された画像をその場で確認することができる。従って、使用者は、初期状態の光環境に対する目標状態の光環境との違いを直感的に理解することができる。
【０１０７】
また、使用者がタッチパネル２５に表示された表示切替アイコン（不図示）を指で触れる度に、設定画面１００とサンプル画面２００とを切り替えるようにしてもよい。これによれば、使用者は、初期状態の光環境で撮影された画像と、目標状態の光環境で撮影された画像とを、より大きな画面で比較することができる。
【０１０８】
本実施形態において、使用者が初期状態アイコン１０３から目標状態アイコン１０４までの間を指で触れながら移動する際に、均一な速度で指を移動させた場合には、図５に示すように、変化点Ａ１〜Ａ１０の間隔は均等となる。一方、使用者が初期状態アイコン１０３から目標状態アイコン１０４までの間を指で触れながら移動する際に、速度を変えながら指を移動させた場合には、変化点Ａ１〜Ａ１０の間隔は不均等になる。
【０１０９】
例えば、使用者が初期状態アイコン１０３から目標状態アイコン１０４までの経路の前半において指を速く移動させた場合には、変化点の数が多くなるため、変化点の間隔は狭くなる。また、使用者が初期状態アイコン１０３から目標状態アイコン１０４までの経路の後半において指を遅く移動させた場合には、変化点の数が少なくなるため、変化点の間隔は広くなる。従って、上記のような指の動かし方をした場合には、変化点Ａ１〜Ａ１０の間隔は不均等になる。これによれば、使用者は、初期状態アイコン１０３から目標状態アイコン１０４までの経路において、指を速く動かすことにより、その範囲で光環境の変化をより細かく設定することができる。また、使用者は、初期状態アイコン１０３から目標状態アイコン１０４までの経路において、指を遅く動かすことにより、その範囲において光環境の変化を大まかに設定することができる。
【０１１０】
本実施形態では、図９に示すフローチャートのステップＳ４０５において、撮影したすべての画像をタッチパネル２５に表示している。これに限らず、例えば、撮影した２０枚の画像について、１枚おきに１０枚の画像を表示してもよい。使用者は、表示する画像の枚数をタッチパネル２５を介して設定することにより、所望の数の画像を表示させることができる。このように、本実施形態の撮影システム１では、撮影した画像の中から、必要な数の画像のみを表示させることができる。これによれば、使用者は、変化点を細かく設定した場合においても、適切な間隔で光環境の異なる画像を閲覧することができる。
【０１１１】
本実施形態では、光源部１１としてＬＥＤ（発光ダイオード）発光装置を用いた例について説明した。これに限らず、明るさや色を電気的又は機械的に調節可能であれば、どのような光源を用いてもよい。また、本実施形態では、すべてのＬＥＤ照明器具１０を同じ光環境に調節する例について説明した。これに限らず、ＬＥＤ照明器具毎に異なる明るさや色の調節を行なうようにしてもよい。この場合、カメラ制御部２６は、光環境に関するデータに識別情報を付加してＬＥＤ照明器具１０に送信する。これにより、識別情報に対応するＬＥＤ照明器具１０についてのみ光環境が調節される。
【０１１２】
本実施形態では、操作入力取得部としてタッチパネル２５を用いた例について説明した。これに限らず、カメラ２０に搭載可能であって且つタッチパネル２５と同等の機能を備えていれば、他のデバイスを用いることができる。
【０１１３】
本実施形態では、ＬＥＤ照明器具１０とカメラ２０との間において、無線通信によりデータを送受信する例について説明した。これに限らず、有線又は相互にデータの送受信が可能な他の通信媒体によりデータを送受信するように構成してもよい。
【０１１４】
本実施形態では、室内で静止画撮影をする例について説明した。これに限らず、動画撮影時の光環境を決める際に、静止画を撮影して光環境を調節することにより、動画撮影時における適切な光環境を設定することができる。
【０１１５】
また、上記実施形態及び変形形態は適宜に組み合わせて用いることができるが、各実施形態の構成は図示と説明により明らかであるため、詳細な説明を省略する。更に、本発明は以上説明した実施形態によって限定されることはない。
【符号の説明】
【０１１６】
１：撮影システム、１０：ＬＥＤ照明器具、１１：光源部、１２：光環境調節部、１３：照明通信部、１４：記憶部、１５：ＬＥＤ制御部、２０：カメラ、２２：撮像部、２３：記憶部、２４：カメラ通信部、２５：タッチパネル、２６：カメラ制御部
【図１】
2012119727.tif 000003
【図２】
2012119727.tif 000004
【図３】
2012119727.tif 000005
【図４】
2012119727.tif 000006
【図５】
2012119727.tif 000007
【図６】
2012119727.tif 000008
【図７】
2012119727.tif 000009
【図８】
2012119727.tif 000010
【図９】
2012119727.tif 000011
【図１０】
2012119727.tif 000012
【図１１】
2012119727.tif 000013
【図１２】
2012119727.tif 000014
【図１３】
2012119727.tif 000015